(57)【特許請求の範囲】
【請求項１】
表紙と背と裏表紙とが同一の相対位置に配置される第１手帳及び第２手帳を覆うことが可能な手帳カバーであって、
第１手帳が装着された際に、前記第１手帳の表紙から背を経て裏表紙に至る範囲を覆う第１カバー部と、
第２手帳が装着された際に、前記第２手帳の表紙から背を経て裏表紙に至る範囲を覆う第２カバー部と、
前記第１カバー部と前記第２カバー部とを接続する接続部と、
を備え、
前記接続部は、前記第１カバー部における前記第１手帳の表紙を覆う箇所と前記第２カバー部における前記第２手帳の表紙を覆う箇所とを接続して折り曲げ可能に構成される第１折曲部と、前記第１カバー部における前記第１手帳の裏表紙を覆う箇所と前記第２カバー部における前記第２手帳の裏表紙を覆う箇所とを接続して折り曲げ可能に構成される第２折曲部とを有し、
前記手帳カバーは、装着された前記第１手帳及び装着された前記第２手帳が共に閉じられる状態となる二つ折りの状態から、前記第１カバー部と前記第２カバー部との間ある前記接続部において前記第１折曲部及び前記第２折曲部を折り曲げることにより、前記手帳カバーが四つ折りとなるように構成されており、
前記第１カバー部は、前記第１手帳の表紙を覆う箇所である第１面状部と、前記第１手帳の裏表紙を覆う箇所である第２面状部と、前記第１面状部と前記第２面状部とを接続して折り曲げ可能に構成される第３折曲部と、
を備え、
前記第２カバー部は、前記第２手帳の表紙を覆う箇所である第３面状部と、前記第２手帳の裏表紙を覆う箇所である第４面状部と、前記第３面状部と前記第４面状部とを接続して折り曲げ可能に構成される第４折曲部と、
を備え、
前記手帳カバーが四つ折りとされる際には、前記第２面状部、前記第１手帳、前記第１面状部、前記第３面状部、前記第２手帳及び前記第４面状部が、当該順序で積層されるような向きに、前記接続部が折り曲げられ、
前記第１面状部及び前記第３面状部は、それぞれの積層方向に直交する面の形状が、前記第２面状部及び前記第４面状部それぞれの積層方向に直交する面の形状を基準形状として、前記基準形状の一部分が欠損している欠損形状とされ、
前記欠損形状は、前記第１面状部、前記第２面状部、前記第３面状部及び前記第４面状部の全てが前記基準形状である場合を想定して、前記手帳カバーを四つ折りにして前記積層方向に一致する視線方向から前記手帳カバーを見た場合に、前記第１面状部及び前記第３面状部とは異なる部分の陰からはみ出して目視可能な状態となる前記第１面状部及び前記第３面状部の一部をはみ出し部として、少なくとも前記はみ出し部が含まれる前記第１面状部及び前記第３面状部の一部が、前記基準形状の前記第１面状部及び前記第３面状部から欠損している形状である、
手帳カバー。
【請求項２】
表紙と背と裏表紙とが同一の相対位置に配置される第１手帳及び第２手帳を覆うことが可能な手帳カバーであって、
第１手帳が装着された際に、前記第１手帳の表紙から背を経て裏表紙に至る範囲を覆う第１カバー部と、
第２手帳が装着された際に、前記第２手帳の表紙から背を経て裏表紙に至る範囲を覆う第２カバー部と、
前記第１カバー部と前記第２カバー部とを接続する接続部と、
を備え、
前記接続部は、前記第１カバー部における前記第１手帳の表紙を覆う箇所と前記第２カバー部における前記第２手帳の表紙を覆う箇所とを接続して折り曲げ可能に構成される第１折曲部と、前記第１カバー部における前記第１手帳の裏表紙を覆う箇所と前記第２カバー部における前記第２手帳の裏表紙を覆う箇所とを接続して折り曲げ可能に構成される第２折曲部とを有し、
前記手帳カバーは、装着された前記第１手帳及び装着された前記第２手帳が共に閉じられる状態となる二つ折りの状態から、前記第１カバー部と前記第２カバー部との間ある前記接続部において前記第１折曲部及び前記第２折曲部を折り曲げることにより、前記手帳カバーが四つ折りとなるように構成されており、
前記第１カバー部は、前記第１手帳の表紙を覆う箇所である第１面状部と、前記第１手帳の裏表紙を覆う箇所である第２面状部と、前記第１面状部と前記第２面状部とを接続して折り曲げ可能に構成される第３折曲部と、
を備え、
前記第２カバー部は、前記第２手帳の表紙を覆う箇所である第３面状部と、前記第２手帳の裏表紙を覆う箇所である第４面状部と、前記第３面状部と前記第４面状部とを接続して折り曲げ可能に構成される第４折曲部と、
を備え、
前記第１折曲部と前記第２折曲部との間となる位置、かつ前記第３折曲部と前記第４折曲部との間となる位置には、貫通孔が形成されている、
手帳カバー。
【請求項３】
表紙と背と裏表紙とが同一の相対位置に配置される第１手帳及び第２手帳を覆うことが可能な手帳カバーであって、
第１手帳が装着された際に、前記第１手帳の表紙から背を経て裏表紙に至る範囲を覆う第１カバー部と、
第２手帳が装着された際に、前記第２手帳の表紙から背を経て裏表紙に至る範囲を覆う第２カバー部と、
前記第１カバー部と前記第２カバー部とを接続する接続部と、
互いに磁着する第１磁着部及び第２磁着部と、
を備え、
前記接続部は、前記第１カバー部における前記第１手帳の表紙を覆う箇所と前記第２カバー部における前記第２手帳の表紙を覆う箇所とを接続して折り曲げ可能に構成される第１折曲部と、前記第１カバー部における前記第１手帳の裏表紙を覆う箇所と前記第２カバー部における前記第２手帳の裏表紙を覆う箇所とを接続して折り曲げ可能に構成される第２折曲部とを有し、
前記手帳カバーは、装着された前記第１手帳及び装着された前記第２手帳が共に閉じられる状態となる二つ折りの状態から、前記第１カバー部と前記第２カバー部との間ある前記接続部において前記第１折曲部及び前記第２折曲部を折り曲げることにより、前記手帳カバーが四つ折りとなるように構成されており、
前記第１磁着部が前記第１カバー部側に設けられ、前記第２磁着部が前記第２カバー部側に設けられ、前記手帳カバーが四つ折りとされた際には、前記第１磁着部及び前記第２磁着部が磁力によって互いに吸引し合うことにより、前記第１カバー部と前記第２カバー部の互いの接触箇所が離間するのを抑制可能に構成されている、
手帳カバー。
【請求項４】
請求項１に記載の手帳カバーであって、
前記第１折曲部と前記第２折曲部との間となる位置、かつ前記第３折曲部と前記第４折曲部との間となる位置には、貫通孔が形成されている、
手帳カバー。
【請求項５】
請求項１、請求項２及び請求項４のうちのいずれか一項に記載の手帳カバーであって、
互いに磁着する第１磁着部及び第２磁着部を備え、
前記第１磁着部が前記第１カバー部側に設けられ、前記第２磁着部が前記第２カバー部側に設けられ、前記手帳カバーが四つ折りとされた際には、前記第１磁着部及び前記第２磁着部が磁力によって互いに吸引し合うことにより、前記第１カバー部と前記第２カバー部の互いの接触箇所が離間するのを抑制可能に構成されている、
手帳カバー。
【請求項６】
表紙と背と裏表紙とが同一の相対位置に配置される第１手帳及び第２手帳と、前記第１手帳及び前記第２手帳を覆うことが可能な手帳カバーとを備える手帳であって、
前記手帳カバーは、
第１手帳が装着された際に、前記第１手帳の表紙から背を経て裏表紙に至る範囲を覆う第１カバー部と、
第２手帳が装着された際に、前記第２手帳の表紙から背を経て裏表紙に至る範囲を覆う第２カバー部と、
前記第１カバー部と前記第２カバー部とを接続する接続部と、
を備え、
前記接続部は、前記第１カバー部における前記第１手帳の表紙を覆う箇所と前記第２カバー部における前記第２手帳の表紙を覆う箇所とを接続して折り曲げ可能に構成される第１折曲部と、前記第１カバー部における前記第１手帳の裏表紙を覆う箇所と前記第２カバー部における前記第２手帳の裏表紙を覆う箇所とを接続して折り曲げ可能に構成される第２折曲部とを有し、
前記手帳カバーは、装着された前記第１手帳及び装着された前記第２手帳が共に閉じられる状態となる二つ折りの状態から、前記第１カバー部と前記第２カバー部との間ある前記接続部において前記第１折曲部及び前記第２折曲部を折り曲げることにより、前記手帳カバーが四つ折りとなるように構成されており、
前記第１カバー部は、前記第１手帳の表紙を覆う箇所である第１面状部と、前記第１手帳の裏表紙を覆う箇所である第２面状部と、前記第１面状部と前記第２面状部とを接続して折り曲げ可能に構成される第３折曲部と、
を備え、
前記第２カバー部は、前記第２手帳の表紙を覆う箇所である第３面状部と、前記第２手帳の裏表紙を覆う箇所である第４面状部と、前記第３面状部と前記第４面状部とを接続して折り曲げ可能に構成される第４折曲部と、
を備え、
前記手帳カバーが四つ折りとされる際には、前記第２面状部、前記第１手帳、前記第１面状部、前記第３面状部、前記第２手帳及び前記第４面状部が、当該順序で積層されるような向きに、前記接続部が折り曲げられ、
前記第１面状部及び前記第３面状部は、それぞれの積層方向に直交する面の形状が、前記第２面状部及び前記第４面状部それぞれの積層方向に直交する面の形状を基準形状として、前記基準形状の一部分が欠損している欠損形状とされ、
前記欠損形状は、前記第１面状部、前記第２面状部、前記第３面状部及び前記第４面状部の全てが前記基準形状である場合を想定して、前記手帳カバーを四つ折りにして前記積層方向に一致する視線方向から前記手帳カバーを見た場合に、前記第１面状部及び前記第３面状部とは異なる部分の陰からはみ出して目視可能な状態となる前記第１面状部及び前記第３面状部の一部をはみ出し部として、少なくとも前記はみ出し部が含まれる前記第１面状部及び前記第３面状部の一部が、前記基準形状の前記第１面状部及び前記第３面状部から欠損している形状である、
手帳。
【請求項７】
表紙と背と裏表紙とが同一の相対位置に配置される第１手帳及び第２手帳と、前記第１手帳及び前記第２手帳を覆うことが可能な手帳カバーとを備える手帳であって、
前記手帳カバーは、
第１手帳が装着された際に、前記第１手帳の表紙から背を経て裏表紙に至る範囲を覆う第１カバー部と、
第２手帳が装着された際に、前記第２手帳の表紙から背を経て裏表紙に至る範囲を覆う第２カバー部と、
前記第１カバー部と前記第２カバー部とを接続する接続部と、
を備え、
前記接続部は、前記第１カバー部における前記第１手帳の表紙を覆う箇所と前記第２カバー部における前記第２手帳の表紙を覆う箇所とを接続して折り曲げ可能に構成される第１折曲部と、前記第１カバー部における前記第１手帳の裏表紙を覆う箇所と前記第２カバー部における前記第２手帳の裏表紙を覆う箇所とを接続して折り曲げ可能に構成される第２折曲部とを有し、
前記手帳カバーは、装着された前記第１手帳及び装着された前記第２手帳が共に閉じられる状態となる二つ折りの状態から、前記第１カバー部と前記第２カバー部との間ある前記接続部において前記第１折曲部及び前記第２折曲部を折り曲げることにより、前記手帳カバーが四つ折りとなるように構成されており、
前記第１カバー部は、前記第１手帳の表紙を覆う箇所である第１面状部と、前記第１手帳の裏表紙を覆う箇所である第２面状部と、前記第１面状部と前記第２面状部とを接続して折り曲げ可能に構成される第３折曲部と、
を備え、
前記第２カバー部は、前記第２手帳の表紙を覆う箇所である第３面状部と、前記第２手帳の裏表紙を覆う箇所である第４面状部と、前記第３面状部と前記第４面状部とを接続して折り曲げ可能に構成される第４折曲部と、
を備え、
前記第１折曲部と前記第２折曲部との間となる位置、かつ前記第３折曲部と前記第４折曲部との間となる位置には、貫通孔が形成されている、
手帳。
【請求項８】
表紙と背と裏表紙とが同一の相対位置に配置される第１手帳及び第２手帳と、前記第１手帳及び前記第２手帳を覆うことが可能な手帳カバーとを備える手帳であって、
前記手帳カバーは、
第１手帳が装着された際に、前記第１手帳の表紙から背を経て裏表紙に至る範囲を覆う第１カバー部と、
第２手帳が装着された際に、前記第２手帳の表紙から背を経て裏表紙に至る範囲を覆う第２カバー部と、
前記第１カバー部と前記第２カバー部とを接続する接続部と、
互いに磁着する第１磁着部及び第２磁着部と、
を備え、
前記接続部は、前記第１カバー部における前記第１手帳の表紙を覆う箇所と前記第２カバー部における前記第２手帳の表紙を覆う箇所とを接続して折り曲げ可能に構成される第１折曲部と、前記第１カバー部における前記第１手帳の裏表紙を覆う箇所と前記第２カバー部における前記第２手帳の裏表紙を覆う箇所とを接続して折り曲げ可能に構成される第２折曲部とを有し、
前記手帳カバーは、装着された前記第１手帳及び装着された前記第２手帳が共に閉じられる状態となる二つ折りの状態から、前記第１カバー部と前記第２カバー部との間ある前記接続部において前記第１折曲部及び前記第２折曲部を折り曲げることにより、前記手帳カバーが四つ折りとなるように構成されており、
前記第１磁着部が前記第１カバー部側に設けられ、前記第２磁着部が前記第２カバー部側に設けられ、前記手帳カバーが四つ折りとされた際には、前記第１磁着部及び前記第２磁着部が磁力によって互いに吸引し合うことにより、前記第１カバー部と前記第２カバー部の互いの接触箇所が離間するのを抑制可能に構成されている、
手帳。
【発明の詳細な説明】
【技術分野】
【０００１】
本開示は、手帳カバー及び手帳に関する。
【背景技術】
【０００２】
携帯時には四つ折りにすることが可能な構造とされた手帳が知られている（例えば、特許文献１参照。）。下記特許文献１に記載の手帳の場合、冊子（１）に対応する裏表紙（５）と、冊子（２）に対応する裏表紙（６）とが、折り目部（８）を介して折り曲げ可能に接続された構造になっている。
【先行技術文献】
【特許文献】
【０００３】
【特許文献１】登録実用新案第３２０５３５７号公報
【発明の概要】
【発明が解決しようとする課題】
【０００４】
しかし、特許文献１に記載の手帳の場合、冊子（１）に対応する表紙（３）と、冊子（２）に対応する表紙（４）との間には、２つの表紙間を接続する構成が存在しない。そのため、冊子（１）及び冊子（２）の両方を開いたり閉じたりしたい場合であっても、それぞれに対応する２つの表紙（３，４）を個別に操作せざるを得ない。
【０００５】
また、上記特許文献１の図４に示されているように、手帳を四つ折りにした場合でも、２つの表紙（３，４）については、それぞれが独立に開閉し得る状態にある。そのため、例えば、手帳の携帯時に手帳の収容空間内において手帳が動き得る状況にあれば、手帳を四つ折りにしておいても、２つの表紙（３，４）それぞれが開いてしまうことがある。この場合、冊子（１）及び冊子（２）のページが折れ曲がったり汚損したりするおそれがある。
【０００６】
本開示の一局面においては、第１手帳及び第２手帳の両方を一括で開閉でき、四つ折りした際には第１手帳及び第２手帳それぞれが開くのを抑制可能な手帳カバー及び手帳を提供することが望ましい。
【課題を解決するための手段】
【０００７】
本開示の一局面における手帳カバーは、表紙と背と裏表紙とが同一の相対位置に配置される第１手帳及び第２手帳を覆うことが可能な手帳カバーである。当該手帳カバーは、第１カバー部と、第２カバー部と、接続部と、を備える。第１カバー部は、第１手帳が装着された際に、第１手帳の表紙から背を経て裏表紙に至る範囲を覆う。第２カバー部は、第２手帳が装着された際に、第２手帳の表紙から背を経て裏表紙に至る範囲を覆う。接続部は、第１カバー部と第２カバー部とを接続する。接続部は、第１折曲部と、第２折曲部とを有する。第１折曲部は、第１カバー部における第１手帳の表紙を覆う箇所と第２カバー部における第２手帳の表紙を覆う箇所とを接続して折り曲げ可能に構成される。第２折曲部は、第１カバー部における第１手帳の裏表紙を覆う箇所と第２カバー部における第２手帳の裏表紙を覆う箇所とを接続して折り曲げ可能に構成される。手帳カバーは、装着された第１手帳及び装着された第２手帳が共に閉じられる状態となる二つ折りの状態から、第１カバー部と第２カバー部との間ある接続部において第１折曲部及び第２折曲部を折り曲げることにより、手帳カバーが四つ折りとなるように構成されている。
【０００８】
このように構成された手帳カバーによれば、第１カバー部には第１手帳を装着でき、第２カバー部には第２手帳を装着できる。すなわち、単一の手帳カバーに対して２冊の手帳を装着できる。したがって、例えば、一方の手帳で特定のページを開いて記述内容を参照できるようにしたまま、他方の手帳でページをめくって所望の書き込みを行う等、単一の手帳では得られない操作性や利便性を得ることができる。
【０００９】
また、第１カバー部における第１手帳の表紙を覆う箇所と第２カバー部における第２手帳の表紙を覆う箇所は、第１折曲部を介して接続されている。第１カバー部における第１手帳の裏表紙を覆う箇所と第２カバー部における第２手帳の裏表紙を覆う箇所は、第２折曲部を介して接続されている。そのため、第１カバー及び第２カバーを開閉する際には、第１カバー及び第２カバーの双方が一体的に動く。したがって、第１手帳及び第２手帳のそれぞれを個別に開閉しなくても、第１カバー及び第２カバーとともに第１手帳及び第２手帳の双方を開閉することができる。
【００１０】
さらに、手帳カバーを接続部で折り曲げて四つ折りとすれば、第１手帳及び第２手帳をそれぞれの厚さ方向に積層することができ、第１手帳、第２手帳及び手帳カバーを含む構造物をコンパクトにすることができる。しかも、手帳カバーが四つ折りとされた状態では、接続部によって第１カバー及び第２カバーが拘束されるため、第１手帳及び第２手帳それぞれが不用意に開いてしまうのを抑制することができる。
【００１１】
なお、本開示の手帳カバーは、更に以下に挙げるような構成を備えていてもよい。
（Ａ）第１カバー部は、第１手帳の表紙を覆う箇所である第１面状部と、第１手帳の裏表紙を覆う箇所である第２面状部と、第１面状部と第２面状部とを接続して折り曲げ可能に構成される第３折曲部と、を備えてもよい。第２カバー部は、第２手帳の表紙を覆う箇所である第３面状部と、第２手帳の裏表紙を覆う箇所である第４面状部と、第３面状部と第４面状部とを接続して折り曲げ可能に構成される第４折曲部と、を備えてもよい。
【００１２】
このように構成される手帳カバーによれば、第１カバー部及び第２カバー部を第３折曲部及び第４折曲部において折り曲げて、二つ折り状態にすることができる。
（Ｂ）手帳カバーが四つ折りとされる際には、第２面状部、第１手帳、第１面状部、第３面状部、第２手帳及び第４面状部が、当該順序で積層されるような向きに、接続部が折り曲げられてもよい。この場合、第１面状部及び第３面状部は、それぞれの積層方向に直交する面の形状が、第２面状部及び第４面状部それぞれの積層方向に直交する面の形状を基準形状として、基準形状の一部分が欠損している欠損形状とされてもよい。ここでいう欠損形状は、第１面状部、第２面状部、第３面状部及び第４面状部の全てが基準形状である場合を想定して、手帳カバーを四つ折りにして積層方向に一致する視線方向から手帳カバーを見た場合に、第１面状部及び第３面状部とは異なる部分の陰からはみ出して目視可能な状態となる第１面状部及び第３面状部の一部をはみ出し部として、少なくともはみ出し部が含まれる第１面状部及び第３面状部の一部が、基準形状の第１面状部及び第３面状部から欠損している形状である。
【００１３】
このように構成される手帳カバーによれば、第１面状部、第２面状部、第３面状部及び第４面状部の全てが基準形状とされる場合とは異なり、手帳カバーを四つ折りにした際に、上述のようなはみ出し部が生じるのを抑制することができる。したがって、四つ折りにした際にはみ出し部が生じる手帳カバーとは異なり、四つ折り時の見栄えをすっきりさせることができ、また、はみ出し部に何かが引っ掛かるといったトラブルを未然に抑制することができる。
【００１４】
（Ｃ）第１折曲部と第２折曲部との間となる位置、かつ第３折曲部と第４折曲部との間となる位置には、貫通孔が形成されていてもよい。
このように構成される手帳カバーによれば、手帳カバーを四つ折りにする際に、二つの折り目の交差点付近において、折り曲げに対する抵抗力が生じるのを緩和することができる。したがって、同様の貫通孔が形成されていない場合に比べ、手帳カバーを四つ折りにしやすい折り曲げ特性にすることができる。
【００１５】
（Ｄ）第１面状部、第２面状部、第３面状部及び第４面状部には、それぞれにポケット部が設けられてもよい。第１手帳及び第２手帳それぞれが備える表紙及び裏表紙を、それぞれに対応するポケット部に挿し込むことによって、第１手帳及び第２手帳を手帳カバーに装着可能に構成されていてもよい。
【００１６】
このように構成される手帳カバーによれば、第１手帳及び第２手帳それぞれが備える表紙及び裏表紙を、それぞれに対応するポケット部に挿し込むことにより、手帳カバーに対して第１手帳及び第２手帳を簡便に装着することができる。
【００１７】
（Ｅ）互いに磁着する第１磁着部及び第２磁着部を備えてもよい。第１磁着部が第１カバー部側に設けられ、第２磁着部が第２カバー部側に設けられ、手帳カバーが四つ折りとされた際には、第１磁着部及び第２磁着部が磁力によって互いに吸引し合うことにより、第１カバー部と第２カバー部の互いの接触箇所が離間するのを抑制可能に構成されていてもよい。
【００１８】
このように構成される手帳カバーによれば、第１磁着部及び第２磁着部を利用して、第１カバー部と第２カバー部の互いの接触箇所が離間するのを抑制することができる。
（Ｆ）第１折曲部及び第２折曲部のうちのいずれか一方には、伸縮可能かつループ状に構成されるバンド部が取り付けられ、手帳カバーが四つ折りとされた際には、バンド部が形成するループで、四つ折りとされた手帳カバーの外周を巻くことにより、第１カバー部と第２カバー部の互いの接触箇所が離間するのを抑制可能に構成されていてもよい。
【００１９】
このように構成される手帳カバーによれば、バンド部を利用して、第１カバー部と第２カバー部の互いの接触箇所が離間するのを抑制することができる。
以上の他、上記手帳カバーを備える手帳も新規で有用である。
【図面の簡単な説明】
【００２０】
【図１】図１Ａは手帳の斜視図である。図１Ｂは図１Ａとは反対側から見た手帳の斜視図である。
【図２】図２Ａは手帳カバーの正面図である。図２Ｂは手帳カバーの右側面図である。図２Ｃは手帳カバーの底面図である。図２Ｄは手帳カバーの背面図である。図２Ｅは手帳カバーの左側面図である。図２Ｆは手帳カバーの平面図である。
【図３】図３Ａは第１手帳及び第２手帳の表紙を手帳カバーに取り付けた状態を示す説明図である。図３Ｂは第１手帳及び第２手帳の裏表紙を手帳カバーに取り付けた状態を示す説明図である。
【図４】図４は手帳カバーの拡大正面図である。
【図５】図５Ａは二つ折りにされた手帳を示す正面図である。図５Ｂは二つ折りにされた手帳を示す右側面図である。図５Ｃは二つ折りにされた手帳を示す底面図である。
【図６】図６Ａは四つ折りにされた手帳を示す正面図である。図６Ｂは四つ折りにされた手帳を示す右側面図である。図６Ｃは四つ折りにされた手帳を示す底面図である。
【発明を実施するための形態】
【００２１】
次に、上述の手帳カバー及び手帳について、例示的な実施形態を挙げて説明する。
［手帳カバー及び手帳の構成］
図１Ａ及び図１Ｂに示すように、手帳１は、手帳カバー３、第１手帳５Ａ及び第２手帳５Ｂを備える。図１Ａ及び図１Ｂにおいて、手帳１及び手帳カバー３は四つ折りにされた状態にある。手帳カバー３は、第１カバー部１１Ａ、第２カバー部１１Ｂ及び接続部１３を備える。第１カバー部１１Ａは、第１手帳５Ａが装着された際に、第１手帳５Ａの表紙から背を経て裏表紙に至る範囲を覆う部分である。第２カバー部１１Ｂは、第２手帳５Ｂが装着された際に、第２手帳５Ｂの表紙から背を経て裏表紙に至る範囲を覆う部分である。接続部１３は、第１カバー部１１Ａと第２カバー部１１Ｂとを接続する部分である。第１カバー部１１Ａ、第２カバー部１１Ｂ及び接続部１３は、柔軟な合成樹脂シートによって構成されている。
【００２２】
接続部１３は、第１折曲部１５Ａ及び第２折曲部１５Ｂを有する。手帳カバー３は、装着された第１手帳５Ａ及び装着された第２手帳５Ｂが共に閉じられる状態となる二つ折りの状態から、更に第１カバー部１１Ａと第２カバー部１１Ｂとの間ある接続部１３において第１折曲部１５Ａ及び第２折曲部１５Ｂを折り曲げることにより、手帳カバー３が四つ折りとなるように構成されている。
【００２３】
手帳カバー３は、図２Ａ、図２Ｂ、図２Ｃ、図２Ｄ、図２Ｅ及び図２Ｆに示すように、折り曲げられていない展開状態においては、ほぼ面状となる部材である。第１カバー部１１Ａは、第１面状部１７Ａ、第２面状部１７Ｂ及び第３折曲部１５Ｃを備える。第１面状部１７Ａは、第１カバー部１１Ａにおける第１手帳５Ａの表紙を覆う箇所である。第２面状部１７Ｂは、第１カバー部１１Ａにおける第１手帳５Ａの裏表紙を覆う箇所である。すなわち、本実施形態において、第１カバー部１１Ａに装着される第１手帳５Ａは、左綴じの手帳とされている。第３折曲部１５Ｃは、第１面状部１７Ａと第２面状部１７Ｂとを接続して折り曲げ可能に構成される。
【００２４】
第２カバー部１１Ｂは、第３面状部１７Ｃ、第４面状部１７Ｄ及び第４折曲部１５Ｄを備える。第３面状部１７Ｃは、第２カバー部１１Ｂにおける第２手帳５Ｂの表紙を覆う箇所である。第４面状部１７Ｄは、第２カバー部１１Ｂにおける第２手帳５Ｂの裏表紙を覆う箇所である。すなわち、本実施形態において、第２カバー部１１Ｂに装着される第２手帳５Ｂは、左綴じの手帳とされている。第４折曲部１５Ｄは、第３面状部１７Ｃと第４面状部１７Ｄとを接続して折り曲げ可能に構成される。
【００２５】
接続部１３が備える第１折曲部１５Ａは、第１カバー部１１Ａの第１面状部１７Ａと第２カバー部１１Ｂの第３面状部１７Ｃとを接続して折り曲げ可能に構成される。接続部１３が備える第２折曲部１５Ｂは、第１カバー部１１Ａの第２面状部１７Ｂと第２カバー部１１Ｂの第４面状部１７Ｄとを接続して折り曲げ可能に構成される。
【００２６】
なお、上述の通り、本実施形態において、第１手帳５Ａ及び第２手帳５Ｂは、双方とも左綴じの手帳とされている。ただし、第１手帳５Ａ及び第２手帳５Ｂは、双方とも右綴じの手帳とされていてもよい。すなわち、第１手帳５Ａ及び第２手帳５Ｂは、それぞれの表紙と背と裏表紙とが同一の相対位置に配置されていればよい。また、必要があれば、表紙と背と裏表紙とが異なる相対位置に配置される第１手帳５Ａ及び第２手帳５Ｂを、手帳カバー３で覆うことも可能である。すなわち、第１手帳５Ａ及び第２手帳５Ｂは、いずれか一方が左綴じで他方が右綴じとなっていても、手帳カバー３で覆うことができる。
【００２７】
手帳カバー３において、第１折曲部１５Ａと第２折曲部１５Ｂとの間となる位置、かつ第３折曲部１５Ｃと第４折曲部１５Ｄとの間となる位置には、円形の貫通孔１９が形成されている。また、第１面状部１７Ａ、第２面状部１７Ｂ、第３面状部１７Ｃ及び第４面状部１７Ｄには、それぞれにポケット部２１が設けられている。ポケット部２１は、柔軟な合成樹脂シートによって構成され、ポケット部２１の周縁をなす四辺のうち、三辺が第１カバー部１１Ａ又は第２カバー部１１Ｂに対して溶着されている。
【００２８】
第１手帳５Ａ及び第２手帳５Ｂを手帳カバー３に装着する際には、第１手帳５Ａ及び第２手帳５Ｂそれぞれの表紙が、図３Ａに示すように、それぞれに対応するポケット部２１に挿し込まれる。また、第１手帳５Ａ及び第２手帳５Ｂを手帳カバー３に装着する際には、第１手帳５Ａ及び第２手帳５Ｂそれぞれの裏表紙が、図３Ｂに示すように、それぞれに対応するポケット部２１に挿し込まれる。
【００２９】
ポケット部２１を構成する合成樹脂シートの一部は、舌片状にカットされ、その舌片状部分によってしおり部２３が構成されている（図２Ａ参照。）。しおり部２３は、第１手帳５Ａ及び第２手帳５Ｂが備えるページ間に挟み込むことができ、これにより、例えば次に第１手帳５Ａ及び第２手帳５Ｂを開く際に、所望のページを開くための目印とすることができる。また、第２面状部１７Ｂにおいては、ポケット部２１に重ねてペンホルダ部２５が設けられている。ペンホルダ部２５、図２Ａにおける水平方向が軸方向となる筒状に構成され、その筒状部分の内周側に挿し込まれるペン（図示略。）を保持可能に構成されている。
【００３０】
手帳カバー３には、図２Ａに示すように、第１磁着部２７Ａ及び第２磁着部２７Ｂが設けられている。第１磁着部２７Ａは、第１カバー部１１Ａ側に含まれる第１面状部１７Ａに設けられ、第２磁着部２７Ｂは、第２カバー部１１Ｂ側に含まれる第３面状部１７Ｃに設けられている。手帳１及び手帳カバー３が四つ折りとされた際には、第１磁着部２７Ａ及び第２磁着部２７Ｂが磁力によって互いに吸引し合うことにより、第１カバー部１１Ａと第２カバー部１１Ｂの互いの接触箇所が離間するのを抑制することができる。
【００３１】
本実施形態の場合、第１磁着部２７Ａ及び第２磁着部２７Ｂは、双方ともネオジム磁石によって構成されている。ただし、第１磁着部２７Ａ及び第２磁着部２７Ｂは、互いに磁着するように構成されていれば、ネオジム磁石以外の磁石で構成されていてもよい。また、第１磁着部２７Ａ及び第２磁着部２７Ｂは、いずれか一方が磁石であれば、他方は磁石が磁着可能な材料（例えば、鉄系金属材料。）で構成されていてもよい。
【００３２】
手帳カバー３には、図１Ａ及び図１Ｂに示すように、バンド部２９が取り付けられている。バンド部２９は、弾性的に伸縮可能なゴムひもによって構成されている。バンド部２９は、ループ状に構成され、バンド部２９が形成するループで、四つ折りとされた手帳１及び手帳カバー３の外周を巻くことにより、第１カバー部１１Ａと第２カバー部１１Ｂの互いの接触箇所が離間するのを抑制することができる。
【００３３】
第２折曲部１５Ｂには、バンド部２９を取り付けるための取付孔３１が設けられている。本実施形態の場合、取付孔３１には金属製のハトメが取り付けられている。バンド部２９は、ループが潰れるように二つ折りにされた状態で、手帳カバー３の内面側（図２Ａ参照。）から取付孔３１へと挿入され、取付孔３１から手帳カバー３の外面側（図２Ｄ参照。）へと引き出されている。なお、バンド部２９には、取付孔３１を通過不能なストッパー（図示略。）が付設され、手帳カバー３の内面側でストッパーが取付孔３１の周囲に引っ掛かることにより、バンド部２９が手帳カバー３の外面側へ引っこ抜けるのを抑制している。第１面状部１７Ａ、第２面状部１７Ｂ、第３面状部１７Ｃ及び第４面状部１７Ｄの外周部分には、それぞれに１箇所ずつのくぼみ部３３が設けられている（図２Ａ参照。）。四つ折りとされた手帳１の外周にバンド部２９が巻かれる際に、バンド部２９をくぼみ部３３に引っ掛ければ、バンド部２９の位置がずれるのを抑制することができる。（図１Ａ参照。）
【００３４】
手帳１及び手帳カバー３が四つ折りとされる際には、第２面状部１７Ｂ、第１手帳５Ａ、第１面状部１７Ａ、第３面状部１７Ｃ、第２手帳５Ｂ及び第４面状部１７Ｄが、当該順序で積層されるような向きに、接続部１３が折り曲げられる。第２面状部１７Ｂ及び第４面状部１７Ｄは、それぞれの積層方向に直交する面の形状が、図４に示すように、略長方形に構成されている。なお、ここでいう略長方形とは、幾何学的に厳密な意味での長方形に加えて、厳密には長方形とは言えないものの長方形と見なし得る形状（例えば、長方形の角にアールが付与された形状、長方形における２組の対辺が概ね平行ではあるものの厳密には平行ではない形状など。）が含まれる概念である。
【００３５】
一方、第１面状部１７Ａ及び第３面状部１７Ｃは、それぞれの積層方向に直交する面の形状が、図４に示すように、上記第２面状部１７Ｂ及び第４面状部１７Ｄの形状（本実施形態の場合は略長方形。）を基準形状として、基準形状の一部分（本実施形態の場合は図４中において網掛け表示とされた部分。）が欠損している欠損形状とされている。ここでいう欠損形状は、次のような手順に従って特定される形状である。
【００３６】
すなわち、欠損形状を特定するに当たっては、まず、第１面状部１７Ａ、第２面状部１７Ｂ、第３面状部１７Ｃ及び第４面状部１７Ｄの全てが基準形状である場合を想定する。この想定状況下で、手帳カバー３を四つ折りにして、第２面状部１７Ｂ、第１手帳５Ａ、第１面状部１７Ａ、第３面状部１７Ｃ、第２手帳５Ｂ及び第４面状部１７Ｄの積層方向に一致する視線方向から手帳カバー３を見る。その場合に、第１面状部１７Ａ及び第３面状部１７Ｃとは異なる部分の陰からはみ出して目視可能な状態となる第１面状部１７Ａ及び第３面状部１７Ｃの一部をはみ出し部として特定する。図４に示す例では、図４中において網掛け表示とされた部分が、はみ出し部として特定される部分となる。網掛け表示とされた部分が、はみ出し部となる理由については後述する。
【００３７】
上述のようなはみ出し部が特定されたら、少なくともはみ出し部が含まれる第１面状部１７Ａ及び第３面状部１７Ｃの一部が、基準形状の第１面状部１７Ａ及び第３面状部１７Ｃから欠損している形状を欠損形状として特定する。図４に示す例では、はみ出し部に一致する第１面状部１７Ａ及び第３面状部１７Ｃの一部が、基準形状の第１面状部１７Ａ及び第３面状部１７Ｃから欠損している形状を欠損形状としている。
【００３８】
本実施形態の場合、第１面状部１７Ａ及び第３面状部１７Ｃは、それぞれの積層方向に直交する面の形状が、上記欠損形状とされる結果、図４に示すように、略台形に構成されることになる。なお、ここでいう略台形とは、幾何学的に厳密な意味での台形に加えて、厳密には台形とは言えないものの台形と見なし得る形状（例えば、台形の角にアールが付与された形状、台形における上底及び下底が概ね平行ではあるものの厳密には平行ではない形状など。）が含まれる概念である。
【００３９】
手帳１が四つ折りにされる際には、図５Ａ、図５Ｂ及び図５Ｃに示すように、まず、第１カバー部１１Ａ及び第２カバー部１１Ｂの双方が、第３折曲部１５Ｃ及び第４折曲部１５Ｄにおいて折り曲げられて二つ折りにされる。このとき、第１折曲部１５Ａを介して接続された第１面状部１７Ａ及び第３面状部１７Ｃは、図５Ａ中に仮想線（二点鎖線）で示す位置Ｐ１から実線で示す位置Ｐ２へ一体的に揺動する。そのため、第１面状部１７Ａ及び第３面状部１７Ｃのそれぞれを個別に操作しなくても、第１手帳５Ａ及び第２手帳５Ｂの双方を一括して閉じることができる。
【００４０】
また、このように手帳１が二つ折りにされている状態から、第１手帳５Ａ及び第２手帳５Ｂを開く場合にも、第１折曲部１５Ａを介して接続された第１面状部１７Ａ及び第３面状部１７Ｃは、図５Ａ中に実線で示す位置から仮想線（二点鎖線）で示す位置へ一体的に揺動する。そのため、第１面状部１７Ａ及び第３面状部１７Ｃのそれぞれを個別に操作しなくても、第１手帳５Ａ及び第２手帳５Ｂの双方を一括して開くことができる。
【００４１】
手帳１が二つ折りにされた際には、第１面状部１７Ａが上述の欠損形状とされているため、図５Ａ中における第１面状部１７Ａの上端は、第２面状部１７Ｂの上端よりも下方に位置する状態になる。第３面状部１７Ｃも、上述の欠損形状とされているため、図５Ａ中における第３面状部１７Ｃの下端は、第４面状部１７Ｄの下端よりも上方に位置する状態になる。
【００４２】
続いて、手帳１が二つ折りにされている状態で、手帳１を接続部１３において折り曲げると、図６Ａ、図６Ｂ及び図６Ｃに示すように、手帳１が四つ折りにされる。このとき、第３折曲部１５Ｃを介して接続された第１面状部１７Ａ及び第２面状部１７Ｂは、一体的に揺動する。ただし、この揺動時に、第１面状部１７Ａは、第２面状部１７Ｂとは別の揺動軸を中心にして、第２面状部１７Ｂに対して相対的に揺動する。
【００４３】
より詳しく説明すると、まず、第３折曲部１５Ｃを介して接続された第１面状部１７Ａ及び第２面状部１７Ｂは、図５Ａにおいては接続部１３付近に水平に想定される第１揺動軸を中心にして一体的に揺動する。その際、第２面状部１７Ｂは、図６Ａ中に仮想線（二点鎖線）で示す位置Ｐ３から実線で示す位置Ｐ４へ揺動する。一方、第１面状部１７Ａは、第２面状部１７Ｂと同様に第１揺動軸を中心にして揺動しつつ、更に図６Ａにおける紙面に垂直な第２揺動軸を中心にして揺動する。なお、第１面状部１７Ａが第２揺動軸を中心にして揺動する際には、第１面状部１７Ａは第３面状部１７Ｃとともに揺動する。
【００４４】
ここで、仮に第１面状部１７Ａが第１揺動軸を中心にして揺動するだけである場合を想定すれば、第１面状部１７Ａは、図６Ａ中に仮想線（二点鎖線）で示す位置Ｐ５から仮想線（二点鎖線）で示す位置Ｐ６へ揺動するはずである。しかし、実際には、第１面状部１７Ａは、図６Ａ中における第１面状部１７Ａの左上角付近に想定される紙面に垂直な第２揺動軸を中心にして揺動する。そのため、第１面状部１７Ａは、上述の２軸を中心に揺動し、図６Ａ中に仮想線（二点鎖線）で示す位置Ｐ５から隠れ線（破線）で示す位置Ｐ７へと揺動する。
【００４５】
上述のように、第１面状部１７Ａが、第１揺動軸を中心にして揺動するだけではなく、更に第２揺動軸を中心にして揺動するのは、以下のような理由によるものと考えられる。すなわち、図６Ｂに表れるように、接続部１３が折り曲げられた際には、外周側にある第２折曲部１５Ｂによって、内周側にある第１折曲部１５Ａが押圧される。より詳しくは、第１折曲部１５Ａ及び第２折曲部１５Ｂの折り曲げ方向に沿った長さは、図２Ａにおける第１折曲部１５Ａ及び第２折曲部１５Ｂの上下方向寸法に一致するので、この長さは第１折曲部１５Ａと第２折曲部１５Ｂとで等長となる。しかし、接続部１３が折り曲げられた際、図６Ｂにおける第１折曲部１５Ａ及び第２折曲部１５Ｂそれぞれの水平方向両端間の間隔は、外周側にある第２折曲部１５Ｂの方が長く、内周側にある第１折曲部１５Ａの方が短くなる。
【００４６】
そのため、図６Ｂにおける第１折曲部１５Ａ及び第２折曲部１５Ｂそれぞれの高さ方向寸法は（水平方向に対して垂直な方向の寸法。）は、外周側にある第２折曲部１５Ｂの方が低く、内周側にある第１折曲部１５Ａの方が高くなる。したがって、接続部１３が折り曲げに伴って、内周側にある第１折曲部１５Ａの頂点が、外周側にある第２折曲部１５Ｂの内周面に接触すれば、その接触以降、第１折曲部１５Ａは上方への変位が規制される。その結果、更に接続部１３が折り曲げられれば、第１折曲部１５Ａは第１面状部１７Ａ及び第３面状部１７Ｃを下方へと押しのける。
【００４７】
第１面状部１７Ａ及び第３面状部１７Ｃは、図６Ａにおける左端付近では、第３折曲部１５Ｃ及び第４折曲部１５Ｄを介して第２面状部１７Ｂ及び第４面状部１７Ｄに接続されている。そのため、第１面状部１７Ａ及び第３面状部１７Ｃは、図６Ａにおける左端付近においては、第２面状部１７Ｂ及び第４面状部１７Ｄに対する相対位置を、図６Ａ中における下方へと変位させることが容易ではない。
【００４８】
一方、第１面状部１７Ａ及び第３面状部１７Ｃは、図６Ａにおける右端付近では、第３折曲部１５Ｃ及び第４折曲部１５Ｄと同等な構成が存在せず、第２面状部１７Ｂ及び第４面状部１７Ｄに対して接続されている状態にはない。そのため、第１面状部１７Ａ及び第３面状部１７Ｃは、図６Ａにおける右端付近においては、第２面状部１７Ｂ及び第４面状部１７Ｄに対する相対位置を、図６Ａ中における下方へと変位させることが容易である。
【００４９】
このように、第１面状部１７Ａ及び第３面状部１７Ｃは、図６Ａにおける左端付近と右端付近とで、図６Ａ中における下方への変位のしやすさに差異がある。そのため、上述のように接続部１３が折り曲げられるのに伴い、第１折曲部１５Ａが第１面状部１７Ａ及び第３面状部１７Ｃを下方へと押しのけた際には、第１面状部１７Ａ及び第３面状部１７Ｃは、図６Ａにおける左端付近よりも右端付近の方が下方へ変位しやすくなる。その結果、第１面状部１７Ａ及び第３面状部１７Ｃは、図６Ａ中における第１面状部１７Ａの左上角付近に想定される紙面に垂直な第２揺動軸を中心にして、図６Ａ中において時計回りとなる向きに揺動する。
【００５０】
第１面状部１７Ａ及び第３面状部１７Ｃが上述のように第２揺動軸を中心に揺動する場合、第１面状部１７Ａ及び第３面状部１７Ｃが、第２面状部１７Ｂ及び第４面状部１７Ｄの形状（本実施形態の場合は略長方形。）と同一形状の基準形状とされていると、先に説明したようなはみ出し部が生じることになる。しかし、本実施形態の手帳１では、第１面状部１７Ａ及び第３面状部１７Ｃが、先に説明したような欠損形状になっている。そのため、第１面状部１７Ａ及び第３面状部１７Ｃが、第２揺動軸を中心に揺動しても、はみ出し部となり得る箇所が欠損しているので、はみ出し部が生じるのを抑制することができる。
【００５１】
つまり、本実施形態の手帳１の場合、手帳１を四つ折りにしたときに、第１面状部１７Ａ及び第３面状部１７Ｃが第２揺動軸を中心に揺動することを前提として、そのような揺動が起きた場合でも、第１面状部１７Ａ及び第３面状部１７Ｃの一部が、第２面状部１７Ｂと第４面状部１７Ｄとの間に挟まれる空間からはみ出さないように、第１面状部１７Ａ及び第３面状部１７Ｃの形状を最適化してあるのである。したがって、第１面状部１７Ａ及び第３面状部１７Ｃの一部が、第２面状部１７Ｂと第４面状部１７Ｄとの間に挟まれる空間からはみ出すような構成に比べ、はみ出し部分に何らかの物を引っかけるのを抑制できる。あるいは、はみ出し部分そのものを損傷させてしまう可能性を低減することができる。
【００５２】
［効果］
以上説明した手帳１及び手帳カバー３によれば、以下のような効果を奏する。
（１）第１カバー部１１Ａには第１手帳５Ａを装着でき、第２カバー部１１Ｂには第２手帳５Ｂを装着できる。すなわち、単一の手帳カバー３に対して２冊の手帳を装着できる。したがって、例えば、一方の手帳で特定のページを開いて記述内容を参照できるようにしたまま、他方の手帳でページをめくって所望の書き込みを行う等、単一の手帳では得られない操作性や利便性を得ることができる。
【００５３】
（２）第１カバー部１１Ａにおける第１手帳５Ａの表紙を覆う箇所と第２カバー部１１Ｂにおける第２手帳５Ｂの表紙を覆う箇所は、第１折曲部１５Ａを介して接続されている。第１カバー部１１Ａにおける第１手帳５Ａの裏表紙を覆う箇所と第２カバー部１１Ｂにおける第２手帳５Ｂの裏表紙を覆う箇所は、第２折曲部１５Ｂを介して接続されている。そのため、第１カバー及び第２カバーを開閉する際には、第１カバー及び第２カバーの双方が一体的に動く。したがって、第１手帳５Ａ及び第２手帳５Ｂのそれぞれを個別に開閉しなくても、第１カバー及び第２カバーとともに第１手帳５Ａ及び第２手帳５Ｂの双方を開閉することができる。
【００５４】
（３）手帳カバー３を接続部１３で折り曲げて四つ折りとすれば、第１手帳５Ａ及び第２手帳５Ｂをそれぞれの厚さ方向に積層することができ、第１手帳５Ａ、第２手帳５Ｂ及び手帳カバー３を含む構造物をコンパクトにすることができる。しかも、手帳カバー３が四つ折りとされた状態では、接続部１３によって第１カバー及び第２カバーが拘束されるため、第１手帳５Ａ及び第２手帳５Ｂそれぞれが不用意に開いてしまうのを抑制することができる。
【００５５】
（４）本実施形態の手帳１及び手帳カバー３の場合、第１カバー部１１Ａ及び第２カバー部１１Ｂを第３折曲部１５Ｃ及び第４折曲部１５Ｄにおいて折り曲げて、二つ折り状態にすることができる。
【００５６】
（５）本実施形態の手帳１及び手帳カバー３の場合、第１面状部１７Ａ、第２面状部１７Ｂ、第３面状部１７Ｃ及び第４面状部１７Ｄの全てが基準形状とされる場合とは異なり、手帳１及び手帳カバー３を四つ折りにした際に、上述のようなはみ出し部が生じるのを抑制することができる。したがって、四つ折りにした際にはみ出し部が生じる手帳カバー３とは異なり、四つ折り時の見栄えをすっきりさせることができ、また、はみ出し部に何かが引っ掛かるといったトラブルを未然に抑制することができる。
【００５７】
（６）本実施形態の手帳１及び手帳カバー３の場合、上述のような貫通孔１９が形成されているので、手帳１及び手帳カバー３を四つ折りにする際に、二つの折り目の交差点付近において、折り曲げに対する抵抗力が生じるのを緩和することができる。したがって、同様の貫通孔１９が形成されていない場合に比べ、手帳カバー３を四つ折りにしやすい折り曲げ特性にすることができる。また、貫通孔１９は、円形に構成された丸孔となっている。そのため、例えば貫通孔が四角形に構成された角孔となっている場合とは異なり、貫通孔１９の内周を構成する部分には、Ｖ字型に切れ込むような角が存在しない。したがって、手帳カバー３の折り畳みが繰り返された際に、角から裂け目が生じやすい角孔に比べ、そのような裂け目が生じるのを抑制でき、手帳カバー３の耐久性を高め、耐用寿命を延ばすことができる。
【００５８】
（７）本実施形態の手帳１及び手帳カバー３の場合、第１手帳５Ａ及び第２手帳５Ｂそれぞれが備える表紙及び裏表紙を、それぞれに対応するポケット部２１に挿し込むことにより、手帳カバー３に対して第１手帳５Ａ及び第２手帳５Ｂを簡便に装着することができる。
【００５９】
（８）本実施形態の手帳１及び手帳カバー３の場合、第１磁着部２７Ａ及び第２磁着部２７Ｂを利用して、第１カバー部１１Ａと第２カバー部１１Ｂの互いの接触箇所が離間するのを抑制することができる。
【００６０】
（９）本実施形態の手帳１及び手帳カバー３の場合、バンド部２９を利用して、第１カバー部１１Ａと第２カバー部１１Ｂの互いの接触箇所が離間するのを抑制することができる。
【００６１】
［他の実施形態］
以上、手帳１及び手帳カバー３について、例示的な実施形態を挙げて説明したが、上述の実施形態は本開示の一態様として例示されるものにすぎない。すなわち、本開示は、上述の例示的な実施形態に限定されるものではなく、本開示の技術的思想を逸脱しない範囲内において、様々な形態で実施することができる。
【００６２】
例えば、上記実施形態では、第２手帳５Ｂ及び第４面状部１７Ｄの形状が、略長方形とされて、その形状が基準形状とされていたが、基準形状は略長方形に限定されない。その場合でも、第１面状部１７Ａ、第２面状部１７Ｂ、第３面状部１７Ｃ及び第４面状部１７Ｄの全てが基準形状である場合を想定して、手帳１及び手帳カバー３を四つ折りにすれば、どの部分がはみ出し部となるのかを特定できる。したがって、はみ出し部を特定できれば上述の欠損形状を設定することが可能となり、四つ折りの際に一部がはみ出すような積層体が構成されるのを未然に抑制することができる。
【００６３】
また、上記実施形態において、手帳１及び手帳カバー３は、はみ出し部が生じないように構成された例を示したが、はみ出し部が生じても問題がない用途等であれば、第１面状部１７Ａ及び第３面状部１７Ｃの形状を上述のような欠損形状とするか否かは任意である。この場合でも、二つの手帳を一括して開閉することができる、四つ折りにした際にいずれかの手帳の表紙又は裏表紙が開いてしまうのを抑制できる、といった優れた効果を得ることができる。
【００６４】
また、上記実施形態で例示した貫通孔１９、ポケット部２１、しおり部２３、ペンホルダ部２５及びバンド部２９などの構成を備えるか否かも任意である。
また、本開示においては手帳及び手帳カバーと称しているが、ここでいう手帳の用途は限定されない。例えば、手帳の用途によっては、ノート、日記帳、メモ帳、スケジュール管理帳、アドレス帳（住所録）、電話帳（電話番号簿）等と称されることもあり得るが、これらは全て本開示でいう手帳に包含される。あるいは、上記以外の各種帳面類なども、本開示でいう手帳に包含される。
【００６５】
なお、上記実施形態で例示した１つの構成要素によって実現される複数の機能を、複数の構成要素によって実現してもよい。上記実施形態で例示した１つの構成要素によって実現される１つの機能を、複数の構成要素によって実現してもよい。上記実施形態で例示した複数の構成要素によって実現される複数の機能を、１つの構成要素によって実現してもよい。上記実施形態で例示した複数の構成要素によって実現される１つの機能を、１つの構成要素によって実現してもよい。上記実施形態で例示した構成の一部を省略してもよい。
【符号の説明】
【００６６】
１…手帳、３…手帳カバー、５Ａ…第１手帳、５Ｂ…第２手帳、１１Ａ…第１カバー部、１１Ｂ…第２カバー部、１３…接続部、１５Ａ…第１折曲部、１５Ｂ…第２折曲部、１５Ｃ…第３折曲部、１５Ｄ…第４折曲部、１７Ａ…第１面状部、１７Ｂ…第２面状部、１７Ｃ…第３面状部、１７Ｄ…第４面状部、１９…貫通孔、２１…ポケット部、２３…しおり部、２５…ペンホルダ部、２７Ａ…第１磁着部、２７Ｂ…第２磁着部、２９…バンド部、３１…取付孔、３３…くぼみ部。
【要約】      （修正有）【課題】第１手帳及び第２手帳の両方を一括で開閉でき、四つ折りした際には第１手帳及び第２手帳それぞれが開くのを抑制可能な手帳カバー及び手帳を提供する。【解決手段】手帳カバー３は、第１カバー部１１Ａと、第２カバー部１１Ｂと、接続部１３と、を備える。第１カバー部は、第１手帳５Ａが装着された際に、第１手帳の表紙から背を経て裏表紙に至る範囲を覆う。第２カバー部は、第２手帳５Ｂが装着された際に、第２手帳の表紙から背を経て裏表紙に至る範囲を覆う。接続部は、第１カバー部と第２カバー部とを接続する。接続部は、第１折曲部１５Ａと、第２折曲部１５Ｂとを有する。手帳カバーは、二つ折りの状態から接続部において第１折曲部及び第２折曲部を折り曲げることにより、手帳カバーが四つ折りとなる。【選択図】図１【図１】
0006875031.tif 000002
【図２】
0006875031.tif 000003
【図３】
0006875031.tif 000004
【図４】
0006875031.tif 000005
【図５】
0006875031.tif 000006
【図６】
0006875031.tif 000007